(57)【要約】【課題】画質調整の設定の最適化を行う作業を容易に行うことができる画像形成システムを得る。【解決手段】図５（ａ）では、上側に表示された画像（第１画像Ｓ１）として、上記のサンプル画像に対して画質調整を全く施さない場合（「彩度」、「輝度」、「色味」、「温度」が全て０である場合）の画像（Ｂｅｆｏｒｅ）が表示され、下側に表示された画像（第２画像Ｓ２）として、上記の組み合わせＢ（「彩度」：＋３、「輝度」：＋２）で画質調整を行った画像（Ａｆｔｅｒ２）が表示されている。上記のパラメーターの値は、パラメーター表示部Ｐで表示されている。図５（ｂ）に示された第２の例のように、第１画像Ｓ１は図５（ａ）と同様とし、第２画像Ｓ２で、他の設定条件の画質調整が施された画像を選択して表示させることもできる。【選択図】図５
2019212960.tif 000002
【特許請求の範囲】
【請求項１】
画像形成装置において行われる画質調整のパラメーターにおけるユーザーにより設定された設定値を含む設定情報が画像化された識別画像を入手する認識部と、
前記識別画像から前記設定情報を認識し、当該設定情報に基づきサンプル画像に前記画質調整が施された画像を含む、異なる設定で前記サンプル画像に前記画質調整が施された複数の画像を表示部に表示させることを特徴とする電子機器。
【請求項２】
複数の前記サンプル画像を記憶する端末側記憶部を具備し、
前記設定情報には、複数の前記サンプル画像のうちの一つを特定する情報が含まれ、
前記設定情報に基づき特定された前記サンプル画像に対して前記設定情報に基づき前記画質調整を施した画像を前記表示部に表示させることを特徴とする請求項１に記載の電子機器。
【請求項３】
前記画質調整において、前記パラメーターは複数種類設けられ、
前記設定情報には、前記パラメーターの前記設定値の異なる組み合わせが含まれ、
異なる前記組み合わせに基づき前記サンプル画像に前記画質調整が施された複数の画像を同時に前記表示部に表示させることを特徴とする請求項１又は２に記載の電子機器。
【請求項４】
前記識別画像はＱＲコード（登録商標）であることを特徴とする請求項１から請求項３までのいずれか１項に記載の電子機器。
【請求項５】
前記表示部を有するタッチパネルディスプレイを具備することを特徴とする請求項１から請求項４までのいずれか１項に記載の電子機器。
【請求項６】
媒体に画像を形成して出力する際に当該画像に対して行う画質調整のパラメーターが設定可能な画像形成装置と、
当該画像形成装置と別体とされ、前記パラメーターの設定に応じたサンプル画像の表示を行う端末側表示部を具備する電子機器と、
が用いられ、
前記画像形成装置は、
前記パラメーターにおけるユーザーにより設定された設定値を含む設定情報が画像化された識別画像を表示させる装置側表示部を具備し、
前記電子機器は、
前記装置側表示部で表示された前記識別画像を認識可能な認識部と、
前記識別画像から前記設定情報を認識し、当該設定情報に基づき前記サンプル画像に前記画質調整が施された画像を含む、異なる設定で前記サンプル画像に前記画質調整が施された複数の画像を機器側表示部に表示させる機器側制御部と、
を具備することを特徴とする画像形成システム。
【発明の詳細な説明】
【技術分野】
【０００１】
本発明は、媒体上に画像を形成して出力する際の画質調整が可能とされた画像形成装置と組み合わせて用いられる電子機器、この電子機器と画像形成装置を具備する画像形成システムに関する。
【背景技術】
【０００２】
媒体（用紙）上に画像を形成して出力する画像形成装置においては、出力後の画像がより適正となるように、元の画像（画像データ）に対する画質調整が可能とされる。画質調整の際に設定される項目としては、例えば、輝度、コントラスト等があり、更に、画像がカラー画像である場合には、彩度等もある。これらの項目は、ユーザーが出力しようとする画像に応じて最適に設定することが好ましい。この際、実際に用紙上に画像を出力させてこの画像をユーザーが確認することも可能であるが、この場合には、用紙や時間を浪費するため、この場合の出力をディスプレイでプレビュー表示させることが好ましい。これによって、ユーザーは、このプレビュー画像を目視で確認した上で、実際に用紙上にこの設定で画像を形成して出力させることができる。
【０００３】
ただし、一般的に画像形成装置で用いられているディスプレイ（表示部）は小さく、かつ解像度も十分ではないため、上記のような設定の効果が確認しにくい。また、画像形成装置における通常の操作においてはカラー表示は不要であるために、このディスプレイではモノクロ表示のみが可能となっている場合も多く、この場合にはカラー画像のプレビュー表示ができないため、彩度等のカラー画像に特有の設定の効果を確認することはできない。
【０００４】
このため、特許文献１においては、画像形成装置（画像処理装置）と、画像を表示させることができる電子機器（携帯端末、スマートフォン等）とが組み合わせて用いられた画像処理システムが記載されている。ここで用いられる画像処理装置においては、上記のような設定の内容が画像処理装置におけるディスプレイでユーザーに認識できるように表示されると共に、この設定の内容に対応するマーカー（２次元コード等）として表示される。一方で、携帯端末には撮像部が設けられ、このように画像処理装置側の表示部で表示されたマーカーを撮像することによって、携帯端末は、この設定の内容を認識することができる。一方、電子機器は、上記のように画像処理装置で出力させる画像とは別の、画像調整の効果を確認するための画像データ（画像調整効果表示データ）を記憶している。その後、電子機器側の表示部で、上記のように認識された設定の内容を反映した画像調整効果表示データが仮のプレビュー画像として表示される。
【０００５】
一般的に、スマートフォン等の電子機器で用いられるディスプレイ（表示部）は、高解像度のカラー表示が可能であり、かつ、所望の箇所を拡大させて表示することも容易である。このため、このように電子機器と画像処理装置とを組み合わせることによって、上記のような画像の調整のための設定の効果を、電子機器を用いてユーザーが容易に認識することができる。この際、画像処理装置と電子機器との間の情報のやりとりは、上記のようなマーカーの撮像のみによって行われるため、操作が容易であり、画像処理装置がネットワーク接続されていない場合においても対応が可能である。
【先行技術文献】
【特許文献】
【０００６】
【特許文献１】特開２０１５−１５４３６７号公報
【発明の概要】
【発明が解決しようとする課題】
【０００７】
実際には、画像処理装置側で上記のような設定を最適化して行うためには、複数種類の設定を同一の画像（画像データ）に対して施し、各設定に対応したプレビュー画像をユーザーが確認する作業が必要となる場合も多い。こうした場合において、特許文献１に記載の画像処理システムにおいては、画像処理装置側でのマーカーの表示、電子機器によるその撮像、電子機器側での仮のプレビュー画像、という一連の作業を設定毎に繰り返す必要があった。このため、特許文献１に記載の画像処理システムにおいて、上記のような画質調整の設定の最適化を行う作業は煩雑となった。
【０００８】
このため、画質調整の設定の最適化を行う作業を容易に行うことができる画像形成システムが求められた。
【０００９】
本発明はこのような状況に鑑みてなされたものであり、上記課題を解決できる技術を提供することを目的とする。
【課題を解決するための手段】
【００１０】
本発明の電子機器は、画像形成装置において行われる画質調整のパラメーターにおけるユーザーにより設定された設定値を含む設定情報が画像化された識別画像を入手する認識部と、前記識別画像から前記設定情報を認識し、当該設定情報に基づきサンプル画像に前記画質調整が施された画像を含む、異なる設定で前記サンプル画像に前記画質調整が施された複数の画像を表示部に表示させることを特徴とする。
本発明の画像形成システムは、媒体に画像を形成して出力する際に当該画像に対して行う画質調整のパラメーターが設定可能な画像形成装置と、当該画像形成装置と別体とされ、前記パラメーターの設定に応じたサンプル画像の表示を行う端末側表示部を具備する電子機器と、が用いられ、前記画像形成装置は、前記パラメーターにおけるユーザーにより設定された設定値を含む設定情報が画像化された識別画像を表示させる装置側表示部を具備し、前記電子機器は、前記装置側表示部で表示された前記識別画像を認識可能な認識部と、前記識別画像から前記設定情報を認識し、当該設定情報に基づき前記サンプル画像に前記画質調整が施された画像を含む、異なる設定で前記サンプル画像に前記画質調整が施された複数の画像を機器側表示部に表示させる機器側制御部と、を具備することを特徴とする。
【発明の効果】
【００１１】
上記の構成により、画質調整の設定の最適化を行う作業を容易に行うことができる画像形成システムを得ることができる。
【図面の簡単な説明】
【００１２】
【図１】本発明の実施の形態に係る画像形成システムにおいて用いられる画像形成装置の構成を示す図である。
【図２】本発明の実施の形態に係る画像形成システムにおいて用いられる携帯端末（電子機器）の構成を示す図である。
【図３】画像形成装置側における表示の第１の例である。
【図４】画像形成装置側における表示の第２、第３、第４の例である。
【図５】携帯端末側における表示の第１、第２の例である。
【図６】携帯端末側における表示の第３、第４の例である。
【発明を実施するための形態】
【００１３】
以下、本発明を実施の形態に係る電子機器、画像形成システムについて説明する。この画像形成システムは、カラー画像を媒体（用紙）上に形成して出力（印刷出力）する画像形成装置１と、画像形成装置１とは別体とされた携帯端末（電子機器）２とで構成される。画像形成装置１、携帯端末２のどちらも表示部（ディスプレイ）を具備するが、その解像度は携帯端末２側の表示部の方が高い。また、携帯端末２は、撮像を行なうための撮像部を具備する。携帯端末２は、画像形成装置１とネットワークを介して接続されていてもよいが、その必要はない。
【００１４】
以下、本発明を実施するための形態について図面を参照して説明する。図１は、この画像形成システムを構成する一方の側である画像形成装置１の構成を示す図である。この画像形成装置１は、原稿に形成された画像を光学的に読み取り他の用紙に形成して出力するコピー機能を有する。この画像形成装置１は、こうしたコピー機能の他にも、ネットワークを介して接続されたパーソナルコンピューターから受信した印刷ジョブや接続された記憶媒体（ＵＳＢメモリ等）中の文書ファイルや画像ファイルに基づく印刷出力を行うこと、ファクシミリ通信を行うこと等もできるが、以下では、上記のコピー機能を実行させる場合のみについて説明する。
【００１５】
このため、設置された原稿中の画像を光学的に読み取り画像データ（画像ファイル）を得る原稿読取部１１が設けられる。また、読み取られた画像を新たに用紙に形成して出力する画像形成部１２が設けられる。制御部（装置側制御部）１０は、原稿読取部１１、画像形成部１２を制御して、上記のコピー機能を実行させる。画像形成部１２には、用紙上にトナーパターンを形成する機構や、その後の用紙を加熱・加圧してトナーパターンを定着させる機構や、これらの動作を行わせるために制御された速度で用紙をこれらの機構の間で搬送する機構等が含まれる。
【００１６】
この際、ユーザーは、複数の操作キーから構成される操作パネル（装置側表示パネル）１３Ａを操作し、所望の設定を行うことができ、この際に、各種の情報を表示するディスプレイを具備する表示部（装置側表示部）１３Ｂが設けられる。実際には、操作パネル１３Ａと表示部１３Ｂは、これらが一体化されたタッチパネルディスプレイ（装置側タッチパネルディスプレイ）１３として設けられる。また、制御部１０がこの画像形成装置１の制御を行うに際して、制御部１０は、不揮発性メモリやハードディスクで構成された記憶部（装置側記憶部）１４に記憶された各種のデータを参照することができる。
【００１７】
一方、図２は、この画像形成システムを構成する他方の側である携帯端末（電子機器）２の構成を示す図である。この携帯端末２は、周囲の対象物の撮像を行ないその画像データを（画像ファイル）を入手する撮像部（識別部）２１を具備する。また、画像形成装置１と同様に操作パネル（端末側操作パネル）２２Ａ、表示部（端末側表示部）２２Ｂを具備し、操作パネル２２Ａと、表示部２２Ｂが、実際にはタッチパネルディスプレイ（端末側タッチパネルディスプレイ）２２として一体化して設けられている点についても同様である。また、上記の画像ファイルを初めとする各種のデータを記憶する記憶部（端末側記憶部）２３、全体の制御を行う制御部（端末側制御部）２０が設けられている。
【００１８】
ここで、表示部２２Ｂは、画像形成装置１側の表示部１３Ｂと比べて高い解像度を有し、カラー画像を表示することができる。一方、表示部１３Ｂは、操作パネル１３Ａと共に主に画像形成装置１の操作（例えば各種のパラメーターの設定）のために用いられるため、その解像度は低く、かつモノクロ画像のみを表示することができる。携帯端末２としては、例えばスマートフォン等を用いることができる。
【００１９】
画像形成装置１において、実際に画像形成部１２から出力を行わせるにあたり、画質を調整する各種のパラメーターを、操作パネル１３Ａによってユーザーが設定することができる。このパラメーターとしては、例えば、画像の輝度、彩度等がある。これらのパラメーターは、出力させる画像に応じて最適化されるが、この作業はユーザーによって行われる。この設定は、上記のタッチパネルディスプレイ１３（操作パネル１３Ａ、表示部１３Ｂ）を用いて行われる。また、この際には、こうしたパラメーターの設定値に応じた画像の出力をユーザーが目視することによって、どの設定値が好ましいかをユーザーが判断することができる。この場合においては、実際にこの設定値を用いて画像形成部１２に出力を行わせる（用紙に画像を形成する）ことも可能であるが、この場合には、この作業に際して多くの用紙を消費し、かつ時間を要する。
【００２０】
このため、この画像形成システムにおいては、こうしたパラメーターの設定値に応じた画像を、用紙に形成して出力させる代わりに、ディスプレイに表示する。ただし、前記の通り、表示部１３Ｂでこの画像を十分な形態でユーザーに確認させることは困難であるため、携帯端末２側の表示部２２Ｂで表示させることができる。ただし、ここで表示部２２Ｂで表示される画像は、実際に画像形成装置１で出力される画像（上記のコピー機能の場合には原稿読取部１１で読み取られた画像）ではなく、記憶部２３が予めサンプル画像の画像ファイルとして記憶した画像である。このため、このように携帯端末２側で画像を表示させる際には、携帯端末２が上記の画像（画像ファイル）を画像形成装置１側から入手することは不要であるが、上記のパラメーターの設定に関する情報（設定情報）を画像形成装置１側から入手することが必要となる。
【００２１】
画像形成装置１においては、この設定情報は、図１における２次元コード生成部１５を用いてＱＲコード（登録商標）とされ、このＱＲコードが表示部１３Ｂで表示される。このため、携帯端末２は、表示部１３Ｂで表示されたこのＱＲコードを撮像することによってこのＱＲコードを画像ファイルとして入手し、制御部２０は、図２における２次元コード解析部２４を用いてこれより元の設定情報を認識することができる。この設定情報又はＱＲコードは記憶部２３に記憶される。このため、この設定情報に基づき画質調整を前記のサンプル画像に対して行い、表示部２２Ｂで表示させることができる。前記の通り、表示部２２Ｂでは、パラメーターの設定の違いによる画像の違いが認識できる程度に画像を表示することができる。また、通常のスマートフォンにおいて知られるように、タッチパネルディスプレイ２２に対するピンチアウト操作によって、画面中の特定箇所の拡大表示も容易に行うことができる。このため、ユーザーは、携帯端末２を用いて、このパラメーターの設定の可否について判断することができる。
【００２２】
上記の動作については、特許文献１に記載の技術と同様である。ただし、ここでは、上記のようにＱＲコードとして画像形成装置１側から携帯端末２側に渡される情報には、パラメーターの設定値が異なる複数の設定情報を含めることができる。また、記憶部２３は、上記のサンプル画像として複数の異なるものを記憶する。このうち、制御部１０は、上記のような複数の設定情報のそれぞれに基づいた画質調整が施された複数の画像間の違いが分かりやすくなるサンプル画像を特定（選択）する情報を、上記の設定情報の中に含ませることができる。
【００２３】
携帯端末２側の制御部２０は、記憶部２３に記憶された複数のサンプル画像のうち、上記の設定情報で指定されたものを抽出し、抽出されたサンプル画像に対して、上記のような設定情報毎の画質調整を行った後のこのサンプル画像を、表示部２２Ｂで表示させることができる。特に、これらの画像を、表示部２２Ｂで同時に表示させることができる。
【００２４】
以下に、この画像形成システムにおける具体的な動作について説明する。図３（ａ）、（ｂ）は、画像形成装置１において、表示部１３Ｂ（タッチパネルディスプレイ１３）でこのようなパラメーターの設定を行い、かつこの設定に対応したＱＲコードを表示させる第１の例である。ここでは、このパラメーターの項目として、「彩度」、「輝度」、「色味」、「温度」があるものとしている。これらの各項目は数値で設定され、値が０の場合がデフォールト（初期値）であるものとする。これらの値が全て０である場合は、画質調整を全く施さない場合に対応する。
【００２５】
図３（ａ）においては、「彩度」、「輝度」、「色味」、「温度」のうちのどの設定を行うかが問い合わされ、ここでは、操作パネル１３Ａの操作により、「彩度」が選択されており、その後に「ＯＫ」キーが操作されることによってこの内容を確定させることができる。その後は、図３（ｂ）に示されるような「彩度」の設定画面に移行し、ユーザーは、操作パネル１３Ａを操作し、その−３〜＋３までの設定値を選択し、「ＯＫ」キーを操作することによってこの内容を確定させることができる。ここでは、＋３が選択されることによって、「＋３」が強調表示されている。この画面の右側における識別画像表示部Ｄには、「彩度」が「＋３」と設定された旨を示す設定情報がコード化され、個別コードＱ１として示されている。図３（ｂ）においては、便宜上「個別コードＱ１」と記載されているが、実際には「個別コードＱ１」は、ＱＲコードとなるモノクロの２次元画像（識別画像）である。この場合には、携帯端末２は、この個別コードＱ１の画像を撮像部２１を用いて入手し、２次元コード解析部２４によって、制御部２０は、この設定情報が、「彩度」を「＋３」とするものであることを認識することができる。
【００２６】
一方、図４（ａ）は、上記のようなパラメーターの設定値を項目毎でなく、各パラメーターの設定値が組み合わせられた一群のデータを上記の設定情報とする場合の例（第２の例）である。ここでは、上記の各項目は、図３（ａ）（ｂ）のように設定され、その確定後の値が、４つの項目全てについて表示されている。この場合、識別画像表示部Ｄには、「彩度」が＋３、「輝度」が＋３、「色味」が０、「温度」が０である旨の設定情報がコード化され、「総合コードＱ２」として示されている。
【００２７】
また、図４（ｂ）には、上記のようなパラメーターの設定値の２通りの組み合わせを上記の設定情報とする場合（第３の例）が示されている。このように２通りの組み合わせを同時に作成する作業は、画質調整の最適化を行う場合には、特に有効である。ここでは、図示された組み合わせＡ、と組み合わせＢの２通りの設定が行われ、この内容に対応する設定情報がコード化され、識別画像表示部Ｄに「総合コードＱ３」として示されている。
【００２８】
図４（ｃ）には、図４（ｂ）と同様の情報（組み合わせＡ、組み合わせＢ）に加え、、携帯端末２側の記憶部２３に記憶された複数のサンプル画像のうち、どのサンプル画像を用いるかの設定（サンプル設定）も行われる例（第４の例）が示されている。ここでは、画像形成装置１で出力させようとしている画像に対する画質調整のために、サンプル画像としてどれを用いるかを選択するための設定が行われている。ここでは、記憶部２３には、画像中の主体が人物である場合において適するサンプル画像、画像中の主体が風景である場合において適するサンプル画像、画像がモノクロ画像である場合、画像がカラー画像であり赤を基調とする場合、画像がカラー画像であり緑を基調とする場合、画像がカラー画像であり青を基調とする場合、に対応する設定が、「人物」、「風景」、「モノクロ」、「カラー赤」、「カラー緑」、「カラー青」としてそれぞれ表示されており、ここでは、「カラー青」が設定されている。ここでは、上記の組み合わせＡ、組み合わせＢと、サンプル画像を選択するの「カラー青」が設定された旨の設定情報がコード化され、識別画像表示部Ｄに「総合コードＱ４」として示されている。
【００２９】
この場合には、携帯端末２側の記憶部２３には、上記の「人物」、「風景」、「モノクロ」、「カラー赤」、「カラー緑」、「カラー青」のそれぞれの設定における画質調整に適したサンプル画像が予め記憶されている。例えば、「人物」が設定された場合には人間の顔が主体となったサンプル画像が、「風景」が設定された場合には風景が主体となったサンプル画像が、「モノクロ」、「カラー赤」、「カラー緑」、「カラー青」が設定された場合にはこれらの各色の構成をもつサンプル画像が、それぞれ使用できるように、６種類記憶されている。また、上記のサンプル設定は、図３（ａ）（ｂ）と同様に画像形成装置１側でユーザーが設定することができるが、制御部１０が画像の内容を認識することによって、これを自動的に設定することもできる。「人物」、「風景」については、周知のパターン認識手法によって、どちらが適しているかを認識することができる。また、「モノクロ」、「カラー赤」、「カラー緑」、「カラー青」については、画像形成装置１で出力させる画像の色情報を制御部１０が認識することによって、定めることもできる。
【００３０】
また、図４（ｃ）においては、「人物」、「風景」、「モノクロ」、「カラー赤」、「カラー緑」、「カラー青」のうちの一つが選択されるものとしたが、「人物」、「風景」のいずれか、「モノクロ」、「カラー赤」、「カラー緑」、「カラー青」のいずれかがそれぞれ設定される構成としてもよい。この場合には、上記のサンプル画像は、上記のような６種類ではなく、これらの設定の組み合わせに応じて２×４＝８種類準備すればよい。すなわち、上記のような設定の種類や数に応じて、サンプル画像の数（種類）は適宜設定される。
【００３１】
次に、上記の識別画像（個別コードＱ１、総合コードＱ２〜Ｑ４）を認識してそれぞれに対応する設定情報を認識した後の携帯端末２における動作について説明する。ここで、携帯端末２における表示部２２Ｂの解像度は高く、かつ、前記のように、所望の箇所を拡大して表示させることも容易に行うことができる。ここで、制御部２０は、表示部２２Ｂに、設定情報に応じて選択されたサンプル画像に対して、異なる設定で画質調整が施された複数の画像を表示させる。このうちの一つの画像は、前記のように認識された設定情報に基づき画質調整されたサンプル画像である。また、他の一つの画像は、デフォールトの（画質調整を施さない）サンプル画像とすることができる。図５（ａ）は、こうした表示部２２Ｂ（タッチパネルディスプレイ２２）の表示の第１の例である。図５（ａ）では、上側に表示された画像（第１画像Ｓ１）として、上記のサンプル画像に対して画質調整を全く施さない場合（「彩度」、「輝度」、「色味」、「温度」が全て０である場合）の画像（Ｂｅｆｏｒｅ）が表示され、下側に表示された画像（第２画像Ｓ２）として、上記の組み合わせＢ（「彩度」：＋３、「輝度」：＋２）で画質調整を行った画像（Ａｆｔｅｒ２）が表示されている。上記のパラメーターの値は、パラメーター表示部Ｐで表示されている。
【００３２】
このように、ユーザーが２つの画像を同時に表示部２２Ｂで見ることによって、両者の差異を認識することが容易であり、組み合わせＢの適性を容易に判定することができる。
【００３３】
また、前記のように携帯端末２が複数の設定条件を入手した場合には、これらを全て記憶部２３に記憶させ、各設定条件に対応した画質調整が施されたサンプル画像の画像データも記憶部２３に記憶させることもできる。このため、図５（ｂ）に示された第２の例のように、第１画像Ｓ１は図５（ａ）と同様とし、第２画像Ｓ２で、他の設定条件の画質調整が施された画像を選択して表示させることもできる。図５（ｂ）においては、プルダウンメニューＭによってこの選択が行われ、組み合わせＡの画質調整が行われた場合の画像（Ａｆｔｅｒ１）が第２画像Ｓ２として表示された例が記載されている。
【００３４】
また、表示部２２Ｂの解像度は高いため、図６（ａ）に示された第３の例となる表示のように、３つの画像を同時に表示させてもよい。図６（ａ）においては、もっとも上側の第１画像Ｓ１には図５（ａ）（ｂ）における第１画像Ｓ１と同様に画質調整を全く施さない場合の画像（Ｂｅｆｏｒｅ）が表示され、上から２番目の第２画像Ｓ２には図５（ｂ）の第２画像Ｓ２と同様の画像（Ａｆｔｅｒ１）、一番下の第３画像Ｓ３には図５（ａ）の第２画像Ｓ２と同様の画像（Ａｆｔｅｒ２）がそれぞれ表示されている。この場合には、例えば第２画像Ｓ２（Ａｆｔｅｒ１）と第３画像Ｓ３（Ａｆｔｅｒ２）のうち、カーソルＣの位置する側の画像の側の設定条件（図６（ａ）においては第３画像Ｓ３）が表示される設定とすることができる。
【００３５】
また、多数の設定条件あるいは画像を記憶部２３が記憶した場合には、その管理が困難となるため、例えば、第２画像Ｓ２（Ａｆｔｅｒ１）と第３画像Ｓ３（Ａｆｔｅｒ２）のうちのいずれかの位置にカーソルＣを移動させ、長押しをした場合にはこの画像の画像ファイル及びこれに対応した設定条件が記憶部２３から削除される設定とすることができる。図６（ｂ）は、このような動作が行われる表示の第４の例を示す図であり、ここでは第２画像Ｓ２（Ａｆｔｅｒ１）が削除の対象となる画像とされている。
【００３６】
また、携帯端末２と画像形成装置１がネットワークや近距離無線通信で接続されている場合には、図６（ｂ）と同様に複数の画像を表示させ、そのうちの一つの画像をユーザーがカーソルＣを用いて選択し、この画像に対応した設定情報を選択する旨を、携帯端末２が画像形成装置１側に送信する設定とすることもできる。
【００３７】
上記のように携帯端末２を用いることにより、画像形成装置１から出力を行わせるに際して、その画質調整を適正に行うことができる。図２に示された携帯端末２の構成は、通常のスマートフォンと同様であり、上記のような動作のみが異なる。このため、上記の携帯端末２は、通常のスマートフォンに、上記の動作のアプリケーションをインストールすることによって容易に実現することができる。上記の画像形成装置１についても、上記のような設定は従来の画像形成装置においても行われ、上記のような識別コード画像を生成して表示部１３Ｂに表示させることのみが従来の画像形成装置と異なる。このため、上記の画像形成装置１も、従来の画像形成装置に対して、上記のような動作を行わせるためのソフトウェアをインストールすることによって、容易に実現することができる。このため、上記の画像形成システムを安価に実現することができる。
【００３８】
上記の例では、画像形成装置１においてコピー機能を実行する際の画質調整について記載されたが、これ以外の場合においても、操作パネル１３Ａ（タッチパネル１３）を用いて画質調整のパラメータを設定することができる操作においては、同様に上記の構成を用いることができる。この際、設定される項目も図３（ａ）に示された項目に限らず、その種類は任意であり、その数も任意である。
【００３９】
また、上記の例では携帯端末（電子機器）２としてスマートフォンが用いられたが、同様に撮像部と解像度の高い表示部を具備する限りにおいて、任意の機器を携帯端末として用いることができる。また、上記の例では、画像形成装置１側、携帯端末２側で、共に操作パネルと表示部とが一体化されたタッチパネルディスプレイが用いられたが、どちらにおいても、上記の機能を具備する表示部が設けられていれば十分であり、操作パネルが表示部と別体とされていてもよい。また、上記の例では設定情報をコード化した識別画像としてＱＲコードが用いられたが、同様に設定情報を識別画像（１次元コード、２次元コード等のコード情報等）として認識し、当該識別画像から設定情報を認識部で認識可能な画像として表示できる限りにおいて、その設定は任意である。
【符号の説明】
【００４０】
１  画像形成装置
２  携帯端末（電子機器）
１０  制御部（装置側制御部）
１１  原稿読取部
１２  画像形成部
１３  タッチパネルディスプレイ（装置側タッチパネルディスプレイ）
１３Ａ  操作パネル（装置側操作パネル）
１３Ｂ  表示部（装置側表示部）
１４  記憶部（装置側記憶部）
１５  ２次元コード生成部
２０  制御部（端末側制御部）
２１  撮像部（識別部）
２２  タッチパネルディスプレイ（端末側タッチパネルディスプレイ）
２２Ａ  操作パネル（端末側操作パネル）
２２Ｂ  表示部（端末側表示部）
２３  記憶部（端末側記憶部）
２４  ２次元コード解析部
Ｃ  カーソル
Ｄ  識別画像表示部
Ｍ  プルダウンメニュー
Ｐ  パラメーター表示部
Ｓ１  第１画像
Ｓ２  第２画像
Ｓ３  第３画像
【図１】
2019212960.tif 000003
【図２】
2019212960.tif 000004
【図３】
2019212960.tif 000005
【図４】
2019212960.tif 000006
【図５】
2019212960.tif 000007
【図６】
2019212960.tif 000008